(57)【要約】【課題】組立性や分解性を容易にしつつコストをおさえることができることを目的とする。【解決手段】静電霧化手段１０を保持するベース部１１とベース部１１を覆うカバー部１２を設け、ベース部１１とカバー部１２を共に本体１へ固定する固定手段を設けるという構成にしたことにより、ベース部１１とカバー部１２を共に本体１へ固定し、最小限の個数の固定手段にさせるので、組立性や分解性を容易にしつつコストをおさえることができるイオン発生装置を得られる。【選択図】図１
2013157187.tif 000002
【特許請求の範囲】
【請求項１】
天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、静電霧化手段を保持するベース部と前記ベース部を覆うカバー部を設け、前記ベース部と前記カバー部を共に前記本体へ固定する固定手段を設けることを特徴とする。
【請求項２】
本体の内側面に段差と複数個の本体凸部を設け、ベース部の外周側が前記段差と前記本体の凸部に挟まれることを特徴とする請求項１に記載のイオン発生装置。
【請求項３】
カバー部に複数個のツメ部を設け、ベース部に前記ツメ部と一対となるツメ受け部を設け、前記ツメ部が回転動作により前記ツメ受け部に保持され、前記カバー部が前記ベース部に保持されることを特徴とする請求項２に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている（例えば、特許文献１参照）。
【０００３】
以下、そのイオン発生装置について図７を参照しながら説明する。
【０００４】
図７に示すように、天井に本体を埋め込み、天井面からイオンを発生させるイオン発生装置であって、本体は、円筒状の本体ケース１０１内に仕切板１０２と、この仕切板１０２の下方に送風手段としてシロッコファン１０３と、仕切板１０２を貫通した開口に静電霧化手段１０４と、本体ケース１０１の下端に本体吸込み口１０５と本体吹出し口１０６を有するグリル１０７と、本体ケース１０１の上に設けられている、制御基板の入った制御ボックス１０８で構成されている。
【０００５】
上記構成により、本体ケース１０２内に螺旋状の空気流路を設けて旋回気流を作り出し、旋回気流を本体吹出し口１０７から吹出すことが出来る。
【先行技術文献】
【特許文献】
【０００６】
【特許文献１】特開２０１１−２５３７８０号公報
【発明の概要】
【発明が解決しようとする課題】
【０００７】
このような従来のイオン発生装置においては、本体にベース部とカバー部を取り付ける組立性やメンテナンスなどの分解性が容易にできなかった、という課題を有していた。
【０００８】
そこで本発明は、上記従来の課題を解決するものであり組立性や分解性を容易にしつつコストをおさえることができるイオン発生装置を提供することを目的とする。
【課題を解決するための手段】
【０００９】
そして、この目的を達成するために、本発明は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、静電霧化手段を保持するベース部と前記ベース部を覆うカバー部を設け、前記ベース部と前記カバー部を共に前記本体へ固定する固定手段を設けることとしたものであり、これにより所期の目的を達成するものである。
【発明の効果】
【００１０】
本発明によれば、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、静電霧化手段を保持するベース部と前記ベース部を覆うカバー部を設け、前記ベース部と前記カバー部を共に前記本体へ固定する固定手段を設けるという構成にしたことにより、ベース部とカバー部を共に本体へ固定し、最小限の個数の固定手段にさせることとなるので、組立性や分解性を容易にしつつコストをおさえることができる、という効果を得ることができる。
【図面の簡単な説明】
【００１１】
【図１】本発明の実施の形態１のイオン発生装置を天井に取付けた状態の断面図
【図２】同イオン発生装置の分解斜視図
【図３】同イオン発生装置の本体とカバー部、ベース部の固定部分の拡大図
【図４】同イオン発生装置の本体とベース部の保持部分の拡大断面図
【図５】同イオン発生装置のカバー部、ベース部の組立状態を示す斜視図
【図６】同イオン発生装置のベース部とカバー部の保持部分の拡大断面図
【図７】従来のイオン発生装置の分解斜視図
【発明を実施するための形態】
【００１２】
本発明の請求項１記載のイオン発生装置は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、静電霧化手段を保持するベース部と前記ベース部を覆うカバー部を設け、前記ベース部と前記カバー部を共に前記本体へ固定する固定手段を設ける、という構成を有する。これにより、ベース部とカバー部を共に本体へ固定し、最小限の個数の固定手段にさせることとなるので、組立性や分解性を容易にしつつコストをおさえることができる、という効果を奏する。
【００１３】
また、本体の内側面に段差と複数個の本体凸部を設け、ベース部の外周側が前記段差と前記本体の凸部に挟まれる、という構成にしてもよい。これにより、固定手段が機能しなくなった場合、ベース部の外周側が段差と本体凸部に挟まれ本体からベース部が落下しないこととなるので、グリルを外した時に不本意にベース部が落下せず、メンテナンス時において分解性を容易にすることができる、という効果を奏する。
【００１４】
また、カバー部に複数個のツメ部を設け、ベース部に前記ツメ部と一対となるツメ受け部を設け、前記ツメ部が回転動作により前記ツメ受け部に保持され、前記カバー部が前記ベース部に保持される、という構成にしてもよい。これにより、固定手段が機能しなくなった場合、ツメ部がツメ受け部に保持され、ベース部からカバー部が落下しないこととなるので、グリルを外した時に不本意にカバー部が落下せず、メンテナンス時において分解性を容易にすることができ、流路から静電霧化手段が配置された空間への、異物の混入を抑制することが出来る、という効果を奏する。
【００１５】
以下、本発明の実施の形態について図面を参照しながら説明する。
【００１６】
（実施の形態１）
図１、２に示すように、本体１は円筒状を有しており、下方にはフランジ２を有し、フランジ２の下方に、吸込み口３と吐出し口４を有するグリル５とを備え、本体１の天面６には、遠心送風手段であるターボファン７と、ターボファン７を回転させる電動機８を有し、電動機８を保持するための天板９を設け、天板９の下方には電動機８に接続するターボファン７を組み込み、ターボファン７の下方には、静電霧化手段１０を保持するベース部１１を設け、ベース部１１の下方に、ベース部１１を覆うカバー部１２を設けた構成としている。
【００１７】
また、図２、３に示すように、本体１にベース部１１とカバー部１２を固定する際に、本体１に設けられたねじボス部１３対して、ベース部１１とカバー部１２を１本のねじで共に固定することができるように、ベース部１１に設けたベース穴１４と、カバー部１２に設けたカバー穴１５の位置が、本体１にベース部１１を取り付けた際、同心円状かつ、同位置の位置関係になるような構成としている。
【００１８】
また、図４に示すように、本体１のターボファン７がある側である内側面に、段差１６と複数個（取付け・取外しのし易さから、例えば２個が望ましい）のターボファン７側に凸状とした凸部１７を設け、本体１と同心円形状になるように、ベース部１１の外周部１８が配置され、外周部１８の直径値（直径の長さ）を、本体１の凸部１７と対向する凸部１７との距離である内径よりも大きくすることで、ベース部１１を本体１に取り付ける際に、外周部１８が、凸部１７を乗り越えて、段差１６と凸部１７に挟まれ固定されるという構成としている。
【００１９】
また、図５、６に示すように、カバー部１２に、静電霧化手段１０（図１参照）が配置される空間の外側、すなわち外周側に向けて、上方から見た時凸状の台形状を有した複数個のツメ部１９を設け、また、ベース部１１にはツメ部１９と一対となるように上方に向けて空間を有したコの字状のツメ受け部２０を設け、ベース部１１にカバー部１２を固定する際に、カバー部１２を回転させることによって、ツメ部１９の台形状の凸部からツメ受け部２０に対して挿入させることで、カバー部１２をベース部１１に容易に挿入し、固定されることができる。
【００２０】
また、ベース部１１にはグリル５の吸込み口３から流入した空気が通る筒部２１（図２参照）と、静電霧化手段１０を固定するための複数の固定爪２２を設け、静電霧化手段１０の配線の案内のためのガイド２３を設ける構成としている。
【００２１】
また、カバー部１２を、開口部２４がベース部１１の筒部２１と同様の形状をしており、また、静電霧化手段１０の下方に、静電霧化手段１０から発生したイオンを排出するための排出口２５を設け、また、カバー部１２の下方に配置されるグリル５の吸込み口３と同形状のリブ２６を備える構成としている。
【００２２】
上記構成において、ベース部１１とカバー部１２を本体１に固定する際に、共に本体１へ固定するこができ、最小限の個数の固定手段にて本体１に固定させることとなるので、組立性や分解性を容易にしつつ、かつ、固定手段によるコストをおさえることができる。
【００２３】
また、ベース部１１の本体１への固定手段が機能しなくなった場合においても、ベース部１１の外周部１８が、本体１に設けた段差１６と凸部１７に挟まれた状態となっているため、本体１からベース部１１が落下しないこととなるので、グリル５を外した時に不本意にベース部１１が落下してこず、メンテナンス時において分解性を容易にすることができる。
【００２４】
また、カバー部１２の本体１への固定手段が機能しなくなった場合、カバー部１２に設けたツメ部１９が、ツメ受け部２０に保持され、ベース部１１からカバー部１２が落下しないこととなるので、グリル５を外した時に不本意にカバー部１２が落下せず、メンテナンス時において分解性を容易にすることができる。
【００２５】
また、カバー部１２に設けたツメ部１９を、静電霧化手段１０を配置する空間から外側に設けたことにより、ベース部１１に取り付ける際にも、静電霧化手段１０が配置された空間への隙間がなくなることとなるので、静電霧化手段１０への異物の付着を抑制することが出来る。
【００２６】
また、カバー部１２の開口部２４を、ベース部１１の筒部２１と同様の形状をしていることにより、静電霧化手段１０が配置された、カバー部１２の内部の空間への空気の流入を抑えることができることとなるので、静電霧化手段１０への異物の付着を抑制することができる。
【００２７】
また、カバー部１２のリブ２６を吸込み口３と同形状にすることで、吸込み流路と吐出し流路をそれぞれ独立させることとなるので、吸込みと吐出しの空気の混入を防ぐことができる。
【産業上の利用可能性】
【００２８】
本発明にかかるイオン発生装置は、天井に取り付けて広範囲にイオンを供給することができるため、イオンによってもたらすことができる効果や効能を居住空間に供給することに有用であり、また、クローゼットやバス、トイレ、または倉庫などの非居住空間においても有用である。
【符号の説明】
【００２９】
１    本体
２    フランジ
３    吸込み口
４    吐出し口
５    グリル
６    天面
７    ターボファン
８    電動機
９    天板
１０  静電霧化手段
１１  ベース部
１２  カバー部
１６  段差
１７  凸部
１８  外周部
１９  ツメ部
２０  ツメ受け部
【図１】
2013157187.tif 000003
【図２】
2013157187.tif 000004
【図３】
2013157187.tif 000005
【図４】
2013157187.tif 000006
【図５】
2013157187.tif 000007
【図６】
2013157187.tif 000008
【図７】
2013157187.tif 000009